【手続補正書】
【提出日】平成17年2月18日(2005.2.18)
【手続補正１】
【補正対象書類名】明細書
【補正対象項目名】特許請求の範囲
【補正方法】変更
【補正の内容】
【特許請求の範囲】
【請求項１】
撮影画像データ及び該撮影画像データの撮影情報を関連付けて記録する記録手段と、
表示手段と、
この表示手段の表示画面上に所定数の表示エリアを設定する第１の表示制御手段と、
この第１の表示制御手段により設定される各表示エリアに表示すべき撮影画像データを、該撮影画像データと関連付けて上記記録手段に記録されている撮影情報に基づき選択する表示画像選択手段と、
この表示画像選択手段により選択された撮影画像データを各表示エリア内に同時表示する第２の表示制御手段と、
上記表示画像選択手段により選択される撮影画像データの数を各表示エリアにおいて所定数に制限する表示制限手段と
を具備したことを特徴とする画像再生装置。
【請求項２】
上記撮影情報は、上記撮影画像データの撮影時間を示す情報であることを特徴とする請求項１記載の画像再生装置。
【請求項３】
上記撮影情報は、上記撮影画像データの撮影位置を示す情報であることを特徴とする請求項１記載の画像再生装置。
【請求項４】
上記撮影情報は、上記撮影画像データの種類を示す情報であることを特徴とする請求項１記載の画像再生装置。
【請求項５】
上記表示制限手段は、
同一の表示エリアに割り当てられている撮影情報と関連付けて上記記録手段に記録されている複数の撮影画像データの中から撮影時間の早い所定数の撮影画像データを上記表示画像選択手段に選択させる手段を含むことを特徴とする請求項１乃至４いずれかに記載の画像再生装置。
【請求項６】
上記表示制限手段は、
同一の表示エリアに割り当てられている撮影情報と関連付けて上記記録手段に記録されている複数の撮影画像データの中から任意の撮影画像データを所定数選択する手段と、
任意に選択された所定数の撮影画像データを上記表示画像選択手段に選択させる手段と
を含むことを特徴とする請求項１乃至５いずれかに記載の画像再生装置。
【請求項７】
上記表示制限手段は、
同一の表示エリアに割り当てられている撮影情報と関連付けて上記記録手段に記録されている複数の撮影画像データのうちの１つを上記表示画像選択手段に選択させる手段を含むことを特徴とする請求項１乃至６いずれかに記載の画像再生装置。
【請求項８】
上記表示エリア内に表示する撮影画像データを順次切り換えることにより、同一の表示エリアに割り当てられている撮影情報と関連付けて上記記録手段に記録されている複数の撮影画像データを表示する第３の表示制御手段をさらに備えたことを特徴とする請求項７記載の画像再生装置。
【請求項９】
手動操作により上記表示エリア内に表示されている画像の変更を指示する指示手段をさらに備え、
上記第３の表示制御手段は、上記指示手段により表示画像の変更が指示された場合に、次の撮影画像データの表示に切り換えることを特徴とする請求項８記載の画像再生装置。
【請求項１０】
上記所定数の表示エリアのうち任意の表示エリアを指定する表示エリア指定手段をさらに備え、
上記第３の表示制御手段は、上記表示エリア指定手段により指定された表示エリア内に表示する撮影画像データを順次切り換えることにより、同一の表示エリアに割り当てられている撮影情報と関連付けて上記記録手段に記録されている複数の撮影画像データを表示することを特徴とする請求項８または９記載の画像再生装置。
【請求項１１】
上記所定数の表示エリアのうち任意の表示エリアを指定する表示エリア指定手段と、
この表示エリア指定手段により指定された表示エリアに割り当てられている撮影情報と関連付けて上記記録手段に記録されている複数の撮影画像データに対して所定の画像処理を一括して実行する画像処理手段と
をさらに備えたことを特徴とする請求項１乃至９いずれかに記載の画像再生装置。
【請求項１２】
上記表示エリア指定手段は、上記所定数の表示エリアのうち任意の複数の表示エリアを指定し、
上記画像処理手段は、上記表示エリア指定手段により指定された複数の表示エリアの各々に割り当てられている撮影情報と関連付けて上記記録手段に記録されている複数の撮影画像データに対して所定の画像処理を一括して実行することを特徴とする請求項１１記載の画像再生装置。
【請求項１３】
画像処理の種別を指定する画像処理指定手段をさらに備え、
上記画像処理手段は、上記画像処理指定手段により指定された種別の画像処理を、上記複数の撮影画像データに対して一括して実行することを特徴とする請求項１１または１２記載の画像再生装置。
【請求項１４】
上記所定数の表示エリアのうち任意の表示エリアを指定する表示エリア指定手段と、
この表示エリア指定手段により指定された表示エリアに割り当てられている撮影情報と関連付けて上記記録手段に記録されている複数の撮影画像データを表示手段上に同時表示する第４の表示制御手段と
をさらに備えたことを特徴とする請求項１乃至９いずれかに記載の画像再生装置。
【請求項１５】
上記第４の表示制御手段により表示手段上に同時表示されている複数の撮影画像データの中から任意の撮影画像データを選択する選択手段と、
この選択手段により選択された撮影画像データを表示手段上に拡大表示する第５の表示制御手段と
をさらに備えたことを特徴とする請求項１４記載の画像再生装置。
【請求項１６】
上記表示制限手段は、さらに上記表示画像選択手段により選択される撮影画像データの種別を制限する手段を含むことを特徴とする請求項１乃至１５いずれかに記載の画像再生装置。
【請求項１７】
撮影画像データの種別を指定する画像種別指定手段をさらに備え、
上記表示制限手段は、上記画像種別指定手段により指定された撮影画像データの種別に基づいて、上記表示画像選択手段により選択される撮影画像データの種別を制限することを特徴とする請求項１６記載の画像再生装置。
【請求項１８】
被写体像を撮像し、撮影画像データを出力する撮像手段をさらに備え、
上記記録手段は、上記撮像手段から出力された撮影画像データを記録することを特徴とする請求項１乃至１７いずれかに記載の画像再生装置。
【請求項１９】
撮影画像データを記録する記録手段と、
表示手段と、
上記記録手段に記録されている撮影画像データを所定の条件に従って複数のグループに分類する分類手段と、
この分類手段により分類された撮影画像データをグループ別に上記表示手段に表示する第１の表示制御手段と、
各グループにおいて上記表示手段に表示する撮影画像データの数を１つに制限する第２の表示制御手段と、
各グループにおいて上記表示手段に表示する撮影画像データを順次切り換えることにより、同一グループに含まれる複数の撮影画像データを上記表示手段に表示する第３の表示制御手段と
を具備したことを特徴とする画像再生装置。
【請求項２０】
手動操作により上記表示手段に表示されている画像の変更を指示する指示手段をさらに備え、
上記第３の表示制御手段は、上記指示手段により表示画像の変更が指示された場合に、次の撮影画像データの表示に切り換えることを特徴とする請求項１９記載の画像再生装置。
【請求項２１】
任意のグループを指定するグループ指定手段をさらに備え、
上記第３の表示制御手段は、上記グループ指定手段により指定されたグループに含まれる撮影画像データを順次切り換えることにより、同一グループに含まれる複数の撮影画像データを表示することを特徴とする請求項１９または２０記載の画像再生装置。
【請求項２２】
撮影画像データを記録する記録手段と、
表示手段と、
上記記録手段に記録されている撮影画像データを所定の条件に従って複数のグループに分類する分類手段と、
この分類手段により分類された撮影画像データをグループ別に上記表示手段に表示する表示制御手段と、
この表示制御手段により表示手段に表示されている複数のグループのうち任意のグループを指定するグループ指定手段と、
このグループ指定手段により指定されたグループに含まれる複数の撮影画像データに対して所定の画像処理を一括して実行する画像処理手段と
を具備したことを特徴とする画像再生装置。
【請求項２３】
上記グループ指定手段は、上記複数のグループのうち任意の複数のグループを指定し、
上記画像処理手段は、上記グループ指定手段により指定された複数のグループの各々に含まれる複数の撮影画像データに対して所定の画像処理を一括して実行することを特徴とする請求項２２記載の画像再生装置。
【請求項２４】
画像処理の種別を指定する画像処理指定手段をさらに備え、
上記画像処理手段は、上記画像処理指定手段により指定された種別の画像処理を、上記複数の撮影画像データに対して一括して実行することを特徴とする請求項２２または２３記載の画像再生装置。
【請求項２５】
撮影画像データを記録する記録手段と、
表示手段と、
上記記録手段に記録されている撮影画像データを所定の条件に従って複数のグループに分類する分類手段と、
この分類手段により分類された撮影画像データをグループ別に上記表示手段に表示する第１の表示制御手段と、
この第１の表示制御手段により表示手段にグループ別に表示する撮影画像データの種別を制限する第２の表示制御手段と
を具備したことを特徴とする画像再生装置。
【請求項２６】
撮影画像データの種別を指定する画像種別指定手段をさらに備え、
上記第２の表示制御手段は、上記画像種別指定手段により指定された撮影画像データの種別に基づいて、上記表示手段に表示する撮影画像データの種別を制限する
ことを特徴とする請求項２５記載の画像再生装置。
【請求項２７】
画像再生装置が有するコンピュータに、
表示手段の表示画面上に所定数の表示エリアを設定する処理と、
上記表示画面上に設定される各表示エリアに表示すべき撮影画像データを、該撮影画像データと関連付けて記録手段に記録されている撮影情報に基づき選択する処理と、
上記選択された撮影画像データを各表示エリア内に同時表示する処理と、
上記選択される撮影画像データの数を各表示エリアにおいて所定数に制限する処理と
を実行させることを特徴とするプログラム。
【請求項２８】
画像再生装置が有するコンピュータに、
記録手段に記録されている撮影画像データを所定の条件に従って複数のグループに分類する処理と、
上記分類された撮影画像データをグループ別に表示手段に表示する処理と、
各グループにおいて上記表示手段に表示する撮影画像データの数を１つに制限する処理と、
各グループにおいて上記表示手段に表示する撮影画像データを順次切換えることにより、同一グループに含まれる複数の撮影画像データを上記表示手段に表示する処理と
を実行させることを特徴とするプログラム。
【請求項２９】
画像再生装置が有するコンピュータに、
記録手段に記録されている撮影画像データを所定の条件に従って複数のグループに分類する処理と、
上記分類された撮影画像データをグループ別に表示手段に表示する処理と、
上記表示手段に表示されている複数のグループのうち任意のグループを指定する処理と、
上記指定されたグループに含まれる複数の撮影画像データに対して所定の画像処理を一括して実行する処理と
を実行させることを特徴とするプログラム。
【請求項３０】
画像再生装置が有するコンピュータに、
記録手段に記録されている撮影画像データを所定の条件に従って複数のグループに分類する処理と、
上記分類された撮影画像データをグループ別に表示手段に表示する処理と、
上記表示手段にグループ別に表示する撮影画像データの種別を制限する処理と
を実行させることを特徴とするプログラム。
【手続補正２】
【補正対象書類名】明細書
【補正対象項目名】０００７
【補正方法】変更
【補正の内容】
【０００７】
【課題を解決するための手段】
請求項１記載の発明は、撮影画像データ及び該撮影画像データの撮影情報を関連付けて記録する記録手段と、表示手段と、この表示手段の表示画面上に所定数の表示エリアを設定する第１の表示制御手段と、この第１の表示制御手段により設定される各表示エリアに表示すべき撮影画像データを、該撮影画像データと関連付けて上記記録手段に記録されている撮影情報に基づき選択する表示画像選択手段と、この表示画像選択手段により選択された撮影画像データを各表示エリア内に同時表示する第２の表示制御手段と、上記表示画像選択手段により選択される撮影画像データの数を各表示エリアにおいて所定数に制限する表示制限手段とを具備したことを特徴とする。
【手続補正３】
【補正対象書類名】明細書
【補正対象項目名】０００８
【補正方法】変更
【補正の内容】
【０００８】
請求項２記載の発明は、上記請求項１記載の発明において、上記撮影情報は、上記撮影画像データの撮影時間を示す情報であることを特徴とする。
請求項３記載の発明は、上記請求項１記載の発明において、上記撮影情報は、上記撮影画像データの撮影位置を示す情報であることを特徴とする。
請求項４記載の発明は、上記請求項１記載の発明において、上記撮影情報は、上記撮影画像データの種類を示す情報であることを特徴とする。
【手続補正４】
【補正対象書類名】明細書
【補正対象項目名】０００９
【補正方法】変更
【補正の内容】
【０００９】
請求項５記載の発明は、上記請求項１乃至４いずれかに記載の発明において、上記表示制限手段は、同一の表示エリアに割り当てられている撮影情報と関連付けて上記記録手段に記録されている複数の撮影画像データの中から撮影時間の早い所定数の撮影画像データを上記表示画像選択手段に選択させる手段を含むことを特徴とする。
請求項６記載の発明は、上記請求項１乃至５いずれかに記載の発明において、上記表示制限手段は、同一の表示エリアに割り当てられている撮影情報と関連付けて上記記録手段に記録されている複数の撮影画像データの中から任意の撮影画像データを所定数選択する手段と、任意に選択された所定数の撮影画像データを上記表示画像選択手段に選択させる手段とを含むことを特徴とする。
【手続補正５】
【補正対象書類名】明細書
【補正対象項目名】００１０
【補正方法】変更
【補正の内容】
【００１０】
請求項７記載の発明は、上記請求項１乃至６いずれかに記載の発明において、上記表示制限手段は、同一の表示エリアに割り当てられている撮影情報と関連付けて上記記録手段に記録されている複数の撮影画像データのうちの１つを上記表示画像選択手段に選択させる手段を含むことを特徴とする。
請求項８記載の発明は、上記請求項７記載の発明において、上記表示エリア内に表示する撮影画像データを順次切り換えることにより、同一の表示エリアに割り当てられている撮影情報と関連付けて上記記録手段に記録されている複数の撮影画像データを表示する第３の表示制御手段をさらに備えたことを特徴とする。
【手続補正６】
【補正対象書類名】明細書
【補正対象項目名】００１１
【補正方法】変更
【補正の内容】
【００１１】
請求項９記載の発明は、上記請求項８記載の発明において、手動操作により上記表示エリア内に表示されている画像の変更を指示する指示手段をさらに備え、上記第３の表示制御手段は、上記指示手段により表示画像の変更が指示された場合に、次の撮影画像データの表示に切り換えることを特徴とする。
請求項１０記載の発明は、上記請求項８又は９記載の発明において、上記所定数の表示エリアのうち任意の表示エリアを指定する表示エリア指定手段をさらに備え、上記第３の表示制御手段は、上記表示エリア指定手段により指定された表示エリア内に表示する撮影画像データを順次切り換えることにより、同一の表示エリアに割り当てられている撮影情報と関連付けて上記記録手段に記録されている複数の撮影画像データを表示することを特徴とする。
【手続補正７】
【補正対象書類名】明細書
【補正対象項目名】００１２
【補正方法】変更
【補正の内容】
【００１２】
請求項１１記載の発明は、上記請求項１乃至９いずれかに記載の発明において、上記所定数の表示エリアのうち任意の表示エリアを指定する表示エリア指定手段と、この表示エリア指定手段により指定された表示エリアに割り当てられている撮影情報と関連付けて上記記録手段に記録されている複数の撮影画像データに対して所定の画像処理を一括して実行する画像処理手段とをさらに備えたことを特徴とする。
請求項１２記載の発明は、上記請求項１１記載の発明において、上記表示エリア指定手段は、上記所定数の表示エリアのうち任意の複数の表示エリアを指定し、上記画像処理手段は、上記表示エリア指定手段により指定された複数の表示エリアの各々に割り当てられている撮影情報と関連付けて上記記録手段に記録されている複数の撮影画像データに対して所定の画像処理を一括して実行することを特徴とする。
【手続補正８】
【補正対象書類名】明細書
【補正対象項目名】００１３
【補正方法】変更
【補正の内容】
【００１３】
請求項１３記載の発明は、上記請求項１１または１２記載の発明において、画像処理の種別を指定する画像処理指定手段をさらに備え、上記画像処理手段は、上記画像処理指定手段により指定された種別の画像処理を、上記複数の撮影画像データに対して一括して実行することを特徴とする。
【手続補正９】
【補正対象書類名】明細書
【補正対象項目名】００１４
【補正方法】変更
【補正の内容】
【００１４】
請求項１４記載の発明は、上記請求項１乃至９いずれかに記載の発明において、画像再生装置上記所定数の表示エリアのうち任意の表示エリアを指定する表示エリア指定手段と、この表示エリア指定手段により指定された表示エリアに割り当てられている撮影情報と関連付けて上記記録手段に記録されている複数の撮影画像データを表示手段上に同時表示する第４の表示制御手段とをさらに備えたことを特徴とする。
【手続補正１０】
【補正対象書類名】明細書
【補正対象項目名】００１５
【補正方法】変更
【補正の内容】
【００１５】
請求項１５記載の発明は、上記請求項１４記載の発明において、上記第４の表示制御手段により表示手段上に同時表示されている複数の撮影画像データの中から任意の撮影画像データを選択する選択手段と、この選択手段により選択された撮影画像データを表示手段上に拡大表示する第５の表示制御手段とをさらに備えたことを特徴とする。
【手続補正１１】
【補正対象書類名】明細書
【補正対象項目名】００１６
【補正方法】変更
【補正の内容】
【００１６】
請求項１６記載の発明は、上記請求項１乃至１５いずれかに記載の発明において、上記表示制限手段は、さらに上記表示画像選択手段により選択される撮影画像データの種別を制限する手段を含むことを特徴とする。
【手続補正１２】
【補正対象書類名】明細書
【補正対象項目名】００１７
【補正方法】変更
【補正の内容】
【００１７】
請求項１７記載の発明は、上記請求項１６記載の発明において、撮影画像データの種別を指定する画像種別指定手段をさらに備え、上記表示制限手段は、上記画像種別指定手段により指定された撮影画像データの種別に基づいて、上記表示画像選択手段により選択される撮影画像データの種別を制限することを特徴とする。
【手続補正１３】
【補正対象書類名】明細書
【補正対象項目名】００１８
【補正方法】変更
【補正の内容】
【００１８】
請求項１８記載の発明は、上記請求項１乃至１７いずれかに記載の発明において、被写体像を撮像し、撮影画像データを出力する撮像手段をさらに備え、上記記録手段は、上記撮像手段から出力された撮影画像データを記録することを特徴とする。
【手続補正１４】
【補正対象書類名】明細書
【補正対象項目名】００１９
【補正方法】変更
【補正の内容】
【００１９】
請求項１９記載の発明は、撮影画像データを記録する記録手段と、表示手段と、上記記録手段に記録されている撮影画像データを所定の条件に従って複数のグループに分類する分類手段と、この分類手段により分類された撮影画像データをグループ別に上記表示手段に表示する第１の表示制御手段と、各グループにおいて上記表示手段に表示する撮影画像データの数を１つに制限する第２の表示制御手段と、各グループにおいて上記表示手段に表示する撮影画像データを順次切り換えることにより、同一グループに含まれる複数の撮影画像データを上記表示手段に表示する第３の表示制御手段とを具備したことを特徴とする。
【手続補正１５】
【補正対象書類名】明細書
【補正対象項目名】００２０
【補正方法】変更
【補正の内容】
【００２０】
請求項２０記載の発明は、上記請求項１９記載の発明において、手動操作により上記表示手段に表示されている画像の変更を指示する指示手段をさらに備え、上記第３の表示制御手段は、上記指示手段により表示画像の変更が指示された場合に、次の撮影画像データの表示に切り換えることを特徴とする。
【手続補正１６】
【補正対象書類名】明細書
【補正対象項目名】００２１
【補正方法】変更
【補正の内容】
【００２１】
請求項２１記載の発明は、上記請求項１９または２０記載の発明において、任意のグループを指定するグループ指定手段をさらに備え、上記第３の表示制御手段は、上記グループ指定手段により指定されたグループに含まれる撮影画像データを順次切り換えることにより、同一グループに含まれる複数の撮影画像データを表示することを特徴とする。
【手続補正１７】
【補正対象書類名】明細書
【補正対象項目名】００２２
【補正方法】変更
【補正の内容】
【００２２】
請求項２２記載の発明は、撮影画像データを記録する記録手段と、表示手段と、上記記録手段に記録されている撮影画像データを所定の条件に従って複数のグループに分類する分類手段と、この分類手段により分類された撮影画像データをグループ別に上記表示手段に表示する表示制御手段と、この表示制御手段により表示手段に表示されている複数のグループのうち任意のグループを指定するグループ指定手段と、このグループ指定手段により指定されたグループに含まれる複数の撮影画像データに対して所定の画像処理を一括して実行する画像処理手段とを具備したことを特徴とする。
【手続補正１８】
【補正対象書類名】明細書
【補正対象項目名】００２３
【補正方法】変更
【補正の内容】
【００２３】
請求項２３記載の発明は、上記請求項２２記載の発明において、上記グループ指定手段は、上記複数のグループのうち任意の複数のグループを指定し、上記画像処理手段は、上記グループ指定手段により指定された複数のグループの各々に含まれる複数の撮影画像データに対して所定の画像処理を一括して実行することを特徴とする。
【手続補正１９】
【補正対象書類名】明細書
【補正対象項目名】００２４
【補正方法】変更
【補正の内容】
【００２４】
請求項２４記載の発明は、上記請求項２２または２３記載の発明において、画像処理の種別を指定する画像処理指定手段をさらに備え、上記画像処理手段は、上記画像処理指定手段により指定された種別の画像処理を、上記複数の撮影画像データに対して一括して実行することを特徴とする。
【手続補正２０】
【補正対象書類名】明細書
【補正対象項目名】００２５
【補正方法】変更
【補正の内容】
【００２５】
請求項２５記載の発明は、撮影画像データを記録する記録手段と、表示手段と、上記記録手段に記録されている撮影画像データを所定の条件に従って複数のグループに分類する分類手段と、この分類手段により分類された撮影画像データをグループ別に上記表示手段に表示する第１の表示制御手段と、この第１の表示制御手段により表示手段にグループ別に表示する撮影画像データの種別を制限する第２の表示制御手段とを具備したことを特徴とする。
【手続補正２１】
【補正対象書類名】明細書
【補正対象項目名】００２６
【補正方法】変更
【補正の内容】
【００２６】
請求項２６記載の発明は、上記請求項２５記載の発明において、撮影画像データの種別を指定する画像種別指定手段をさらに備え、上記第２の表示制御手段は、上記画像種別指定手段により指定された撮影画像データの種別に基づいて、上記表示手段に表示する撮影画像データの種別を制限することを特徴とする。
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】変更
【補正の内容】
【００３７】
請求項２７記載の発明は、画像再生装置が有するコンピュータに、表示手段の表示画面上に所定数の表示エリアを設定する処理と、上記表示画面上に設定される各表示エリアに表示すべき撮影画像データを、該撮影画像データと関連付けて記録手段に記録されている撮影情報に基づき選択する処理と、上記選択された撮影画像データを各表示エリア内に同時表示する処理と、上記選択される撮影画像データの数を各表示エリアにおいて所定数に制限する処理とを実行させることを特徴とする。
【手続補正３３】
【補正対象書類名】明細書
【補正対象項目名】００３８
【補正方法】削除
【補正の内容】
【手続補正３４】
【補正対象書類名】明細書
【補正対象項目名】００３９
【補正方法】変更
【補正の内容】
【００３９】
請求項２８記載の発明は、画像再生装置が有するコンピュータに、記録手段に記録されている撮影画像データを所定の条件に従って複数のグループに分類する処理と、上記分類された撮影画像データをグループ別に表示手段に表示する処理と、各グループにおいて上記表示手段に表示する撮影画像データの数を１つに制限する処理と、各グループにおいて上記表示手段に表示する撮影画像データを順次切換えることにより、同一グループに含まれる複数の撮影画像データを上記表示手段に表示する処理とを実行させることを特徴とする。
【手続補正３５】
【補正対象書類名】明細書
【補正対象項目名】００４０
【補正方法】削除
【補正の内容】
【手続補正３６】
【補正対象書類名】明細書
【補正対象項目名】００４１
【補正方法】変更
【補正の内容】
【００４１】
請求項２９記載の発明は、画像再生装置が有するコンピュータに、記録手段に記録されている撮影画像データを所定の条件に従って複数のグループに分類する処理と、上記分類された撮影画像データをグループ別に表示手段に表示する処理と、上記表示手段に表示されている複数のグループのうち任意のグループを指定する処理と、上記指定されたグループに含まれる複数の撮影画像データに対して所定の画像処理を一括して実行する処理とを実行させることを特徴とする。
【手続補正３７】
【補正対象書類名】明細書
【補正対象項目名】００４２
【補正方法】削除
【補正の内容】
【手続補正３８】
【補正対象書類名】明細書
【補正対象項目名】００４３
【補正方法】変更
【補正の内容】
【００４３】
請求項３０記載の発明は、画像再生装置が有するコンピュータに、記録手段に記録されている撮影画像データを所定の条件に従って複数のグループに分類する処理と、上記分類された撮影画像データをグループ別に表示手段に表示する処理と、上記表示手段にグループ別に表示する撮影画像データの種別を制限する処理とを実行させることを特徴とする。
【手続補正３９】
【補正対象書類名】明細書
【補正対象項目名】００４４
【補正方法】削除
【補正の内容】
【手続補正４０】
【補正対象書類名】明細書
【補正対象項目名】０１８３
【補正方法】変更
【補正の内容】
【０１８３】
【発明の効果】
本発明によれば、撮影時間の属する所定期間単位毎に表示する撮影画像の数を制限するものとしたので、より多くの所定期間単位の欄を同時に一覧表示でき、あるいは各所定期間単位毎に表示する撮影画像のサイズを大きくすることで、視認性を大幅に向上させることができる。
【手続補正４１】
【補正対象書類名】明細書
【補正対象項目名】０１８４
【補正方法】変更
【補正の内容】
【０１８４】
また本発明によれば、同一の所定期間毎に分類された撮影画像をすべて一度に表示できない場合に、撮影時間のより早い情報を有する撮影画像をその所定期間の代表となる撮影画像として自動的に選択して撮影画像の一覧表示させるようにしたため、例えば一連の時系列上の撮影画像の先頭側を表示させることにより、その後に続く撮影画像の内容を端的に代表して表示させることができる。
【手続補正４２】
【補正対象書類名】明細書
【補正対象項目名】０１８５
【補正方法】変更
【補正の内容】
【０１８５】
また本発明によれば、ユーザ自身が任意に代表となる撮影画像を選択できるため、ユーザにとってその撮影画像を含む所定期間内の撮影画像全体をより認識し易くなる。
【手続補正４３】
【補正対象書類名】明細書
【補正対象項目名】０１８６
【補正方法】変更
【補正の内容】
【０１８６】
また本発明によれば、例えば所定期間単位毎に１枚ずつ、あたかもスライド画像の表示を行なうように撮影画像を順次切換えて表示するため、一覧表示されるすべての撮影画像の内容を一覧表示の画像中で視認できるだけでなく、オリジナル画像を用いて動的な表示を行なうインテリアとしても楽しむことができる。
【手続補正４４】
【補正対象書類名】明細書
【補正対象項目名】０１８７
【補正方法】変更
【補正の内容】
【０１８７】
また本発明によれば、一覧表示上で任意の所定期間を指定し、指定した任意の所定期間に関する編集処理を一括して実行させるため、編集作業対象である所定期間の指定を一覧表示を見ながら容易に行なうことができると同時に、撮影画像に関する編集作業をより簡易化できる。
【手続補正４５】
【補正対象書類名】明細書
【補正対象項目名】０１８８
【補正方法】変更
【補正の内容】
【０１８８】
また本発明によれば、例えば動画と静止画の相違や、画像の精細度の相違、等の種別を制限することで、一覧表示される内容全体を統一感のあるものにできる。
【手続補正４６】
【補正対象書類名】明細書
【補正対象項目名】０１８９
【補正方法】変更
【補正の内容】
【０１８９】
また本発明によれば、撮影時間の属する所定グループ単位毎に表示する撮影画像の数を１つに制限するものとしたので、より多くの所定グループ単位の欄を同時に一覧表示でき、あるいは各所定期間単位毎に表示する撮影画像のサイズを大きくすることで、視認性を大幅に向上させることができることに加えて、１グループに対応する撮影画像が複数ある場合には表示する撮影画像を順次切換表示するようにしたため、１グループに複数の撮影画像がある場合でも、一覧表示されるすべての撮影画像の内容を一覧表示の画像中で視認できる。
【手続補正４７】
【補正対象書類名】明細書
【補正対象項目名】０１９０
【補正方法】変更
【補正の内容】
【０１９０】
また本発明によれば、一覧表示上で任意のグループを指定し、指定した任意のグループに関する編集処理を一括して実行させるため、編集作業対象であるグループの指定を一覧表示を見ながら容易に行なうことができると同時に、撮影画像に関する編集作業をより簡易化できる。
【手続補正４８】
【補正対象書類名】明細書
【補正対象項目名】０１９１
【補正方法】変更
【補正の内容】
【０１９１】
また本発明によれば、簡単な指定操作により、そのグループに属する複数の撮影画像を順次切換表示する状態に移行させることができるので、ユーザが未表示の画像を確認したいと思った場合にのみ指定操作を行なうことで、その内容を確認することができる。
【手続補正４９】
【補正対象書類名】明細書
【補正対象項目名】０１９２
【補正方法】変更
【補正の内容】
【０１９２】
また本発明によれば、所定のグループ単位で撮影画像を一覧表示するため、表示された撮影画像の内容からその属するグループを視覚的に認識できると共に、任意のグループの指定を容易にして任意のグループに関する編集作業をより簡易化できる。
【手続補正５０】
【補正対象書類名】明細書
【補正対象項目名】０１９３
【補正方法】変更
【補正の内容】
【０１９３】
また本発明によれば、一覧表示上で任意のグループを複数指定し、指定した複数の任意のグループに関する編集処理を一括して実行するため、編集作業対象である複数のグループの指定を一覧表示を見ながら容易に行なうことができると同時に、撮影画像に関する編集作業をさらに簡易化できる。
【手続補正５１】
【補正対象書類名】明細書
【補正対象項目名】０１９４
【補正方法】変更
【補正の内容】
【０１９４】
また本発明によれば、ユーザが所望する種別の編集処理を一覧表示上で指定した任意のグループに属する撮像画像に対して実行することができる。
【手続補正５２】
【補正対象書類名】明細書
【補正対象項目名】０１９５
【補正方法】変更
【補正の内容】
【０１９５】
また本発明によれば、所定のグループ単位で表示する撮影画像の種別を制限して一覧表示するため、より多くのグループ単位の欄を同時に一覧表示でき、あるいは各グループ単位毎に表示する撮影画像のサイズを大きくすることで、視認性を大幅に向上させることができると共に、例えば動画と静止画の相違や、画像の精細度の相違、等の種別を制限することで、一覧表示される内容全体を統一感のあるものにできる。
【手続補正５３】
【補正対象書類名】明細書
【補正対象項目名】０１９６
【補正方法】変更
【補正の内容】
【０１９６】
また本発明によれば、種別を任意に選択することで、ユーザの好みに応じて容易に一覧表示される撮影画像の種別を切換えることができる。
【手続補正５４】
【補正対象書類名】明細書
【補正対象項目名】０１９７
【補正方法】変更
【補正の内容】
【０１９７】
また本発明によれば、撮影時間の属する所定期間単位で撮影画像を一覧表示することもできるため、表示された撮影画像の内容から撮影時間の属する所定期間単位を視覚的に認識することができる。
【手続補正５５】
【補正対象書類名】明細書
【補正対象項目名】０１９８
【補正方法】変更
【補正の内容】
【０１９８】
また本発明によれば、撮影時間の属する所定期間単位毎に表示する撮影画像の数を制限するものとしたので、より多くの所定期間単位の欄を同時に一覧表示でき、あるいは各所定期間単位毎に表示する撮影画像のサイズを大きくすることで、視認性を大幅に向上させることができる。
【手続補正５６】
【補正対象書類名】明細書
【補正対象項目名】０１９９
【補正方法】変更
【補正の内容】
【０１９９】
また本発明によれば、撮影時間の属する所定グループ単位毎に表示する撮影画像の数を１つに制限するものとしたので、より多くの所定グループ単位の欄を同時に一覧表示でき、あるいは各所定期間単位毎に表示する撮影画像のサイズを大きくすることで、視認性を大幅に向上させることができることに加えて、１グループに対応する撮影画像が複数ある場合には表示する撮影画像を順次切換表示するようにしたため、１グループに複数の撮影画像がある場合でも、一覧表示されるすべての撮影画像の内容を一覧表示の画像中で視認できる。
【手続補正５７】
【補正対象書類名】明細書
【補正対象項目名】０２００
【補正方法】変更
【補正の内容】
【０２００】
また本発明によれば、所定のグループ単位で撮影画像を一覧表示するため、表示された撮影画像の内容からその属するグループを視覚的に認識できると共に、任意のグループの指定を容易にして任意のグループに関する編集作業をより簡易化できる。
【手続補正５８】
【補正対象書類名】明細書
【補正対象項目名】０２０１
【補正方法】変更
【補正の内容】
【０２０１】
また本発明によれば、所定のグループ単位で表示する撮影画像の種別を制限して一覧表示するため、より多くのグループ単位の欄を同時に一覧表示でき、あるいは各グループ単位毎に表示する撮影画像のサイズを大きくすることで、視認性を大幅に向上させることができると共に、例えば動画と静止画の相違や、画像の精細度の相違、等の種別を制限することで、一覧表示される内容全体を統一感のあるものにできる。